(57)【要約】【課題】ワープ経路内の遊技球の状態を遊技者が視認できて、パチンコ遊技の興趣を十分に高めることが可能なパチンコ遊技機を提供する【解決手段】遊技盤に配置された図柄表示装置と、該図柄表示装置を取り囲むように配置されてワープ経路が設けられたセンター飾りと、を備えたパチンコ遊技機において、センター飾りは、ワープ経路を形成する部分が透視可能に形成されると共に、その表面に複数の凸部を設けられていることを特徴とする。前記凸部は、ワープ経路の略底面まで透視可能な曲率のレンズ形状に形成されると共に、この凸部が隣接状態で複数形成される。【選択図】  図３
2008000532.tif 000002
【特許請求の範囲】
【請求項１】
遊技盤に配置された図柄表示装置と、該図柄表示装置を取り囲むように配置されてワープ経路が設けられたセンター飾りと、を備えたパチンコ遊技機において、
前記センター飾りは、前記ワープ経路を形成する部分が透視可能に形成されると共に、その表面に複数の凸部を設けられていることを特徴とするパチンコ遊技機。
【請求項２】
前記凸部は、前記ワープ経路の略底面まで透視可能な曲率のレンズ形状に形成されると共に、この凸部が隣接状態で複数形成されていることを特徴とする請求項１に記載のパチンコ遊技機。
【請求項３】
前記ワープ経路の底面側に基板等の各種部品が配置されていることを特徴とする請求項２に記載のパチンコ遊技機。
【請求項４】
前記センター飾りは、それぞれ別体で形成された、センター飾り左側のワープ経路部、センター飾り右側の装飾部、センター飾り上下の上装飾部及び下装飾部を有することを特徴とする請求項１ないし３のいずれかに記載のパチンコ遊技機。
【発明の詳細な説明】
【技術分野】
【０００１】
本発明は、図柄表示装置の周囲に配置されてワープ経路等が設けられたセンター飾りを備えたパチンコ遊技機に関する。
【背景技術】
【０００２】
従来、パチンコ遊技機の遊技盤に配置される図柄表示装置の周囲には、図柄表示装置を取り囲むようにセンター飾りが配置されており、このセンター飾りとしては、例えば特許文献１に開示のものが知られている。このセンター飾りは、図柄表示装置の左右両側部に形成されたワープ経路と、図柄表示装置の下部に形成されたステージ等を備え、ワープ経路の入口から入った遊技球がワープ経路を落下してワープ出口からステージ上に進入し、この遊技球がステージの中央下方に配置された始動入賞口に入賞することにより図柄表示装置が作動するようになっている。
【特許文献１】特開２００５−１１８１９２号公報
【発明の開示】
【発明が解決しようとする課題】
【０００３】
しかしながら、このようなパチンコ遊技機にあっては、センター飾りのワープ経路を形成する部分の表面が略平面状に形成されると共に内部が視認されない非透過性の所定色の樹脂の成形によって形成されているため、ワープ経路における遊技球の視認（確認）は、ワープ入口とワープ出口（もしくはステージ上）でしか行えず、ワープ経路内を落下する遊技球の遊技者による状態確認が困難であり、パチンコ遊技の興趣を十分に高めることが難しい。
【０００４】
本発明は、このような事情に鑑みてなされたもので、その目的は、ワープ経路内の遊技球の状態を遊技者が視認できて、パチンコ遊技の興趣を十分に高めることが可能なパチンコ遊技機を提供することにある。また、他の目的は、前記目的に加え、ワープ経路の低面側に各種部品を効果的に配置して、遊技盤を意匠性の向上とそのコンパクト化を図り得るパチンコ遊技機を提供することにある。
【課題を解決するための手段】
【０００５】
かかる目的を達成すべく、本発明のうち請求項１に記載の発明は、遊技盤に配置された図柄表示装置と、該図柄表示装置を取り囲むように配置されてワープ経路が設けられたセンター飾りと、を備えたパチンコ遊技機において、前記センター飾りは、前記ワープ経路を形成する部分が透視可能に形成されると共に、その表面に複数の凸部を設けられていることを特徴とする。
【０００６】
そして、前記凸部は、請求項２に記載の発明のように、前記ワープ経路の略底面まで透視可能な曲率のレンズ形状に形成されると共に、この凸部が隣接状態で複数形成されていることが好ましい。また、請求項３に記載の発明のように、前記ワープ経路の低面側に基板等の各種部品が配置されていることが好ましく、さらに、請求項４に記載の発明のように、前記センター飾りは、それぞれ別体で形成された、センター飾り左側のワープ経路部、センター飾り右側の装飾部、センター飾り上下の上装飾部及び下装飾部を有することが好ましい。
【発明の効果】
【０００７】
本発明のうち請求項１に記載の発明によれば、図柄表示装置を取り囲むように配置されたセンター飾りにワープ経路を設け、このワープ経路を形成する部分が透視可能に形成されると共に、その表面に複数の凸部を設けられているため、ワープ経路内に進入した遊技球の該経路内における落下状態を遊技者が遊技中に視認することができて、パチンコ遊技の興趣を十分に高めることができる。
【０００８】
また、請求項２に記載の発明によれば、請求項１に記載の発明の効果に加え、凸部がワープ経路の略底面まで透視可能な曲率のレンズ形状に形成されると共に、この凸部が隣接状態で複数形成されているため、所定の曲率設定によりワープ経路の底面側を遊技者に視認させることなく、ワープ経路内を落下する遊技球のみを遊技者に効果的に視認させることができる。
【０００９】
また、請求項３に記載の発明によれば、請求項２に記載の発明の効果に加え、ワープ経路の底面側に基板等の各種部品が配置されているため、各種部品をワープ経路の底面に露出状態で配置しても、この部品が遊技者から視認されることがなく、ワープ経路の後方に基板等を効率的に配置できて、遊技盤の意匠性を向上させることができると共に遊技盤自体を薄型にしてそのコンパクト化を図ること等ができる。
【００１０】
さらに、請求項４に記載の発明によれば、請求項１ないし３に記載の発明の効果に加え、センター飾りが、それぞれ別体で形成された４つの部品を有するため、複雑な表面形状のワープ経路部等を単体で成形でき、その製造コストを低減化させて遊技盤のコストダウンを図ることができる。
【発明を実施するための最良の形態】
【００１１】
以下、本発明の実施の形態を図面に基づいて詳細に説明する。
図１〜図５は、本発明に係わるパチンコ遊技機の一実施形態を示し、図１がその正面図、図２が遊技盤の正面図、図３が遊技盤を右斜め上方から見た斜視図、図４が遊技盤を上方から見た斜視図、図５がワープ経路の説明図である。
【００１２】
図１に示すように、パチンコ遊技機１は、前面枠３に取り付けられてその前面がガラス扉４で覆われた遊技盤２を有し、この遊技盤２には、その略中心位置に液晶表示器からなる図柄表示装置５が配置されると共に、この図柄表示装置５を取り囲むようにセンター飾り６が配置されている。また、遊技盤２の下部には特定入賞口７が設けられると共に、この特定入賞口７の上方には遊技球が入賞することにより前記図柄表示装置５を作動させる始動入賞口８が設けられている。
【００１３】
なお、前面枠３の下部には、上受け皿９と下受け皿１０が配置されると共に、下受け皿１０の右側方には発射ハンドル１１が配置されている。また、前記遊技盤２には、図柄表示装置５を取り付けるための図示しない開口部が設けられ、この開口部を利用してその前面側に前記センター飾り６が配置されると共に、センター飾り６の裏面側に遊技盤２の自体の薄型化を図りつつ各種基板１７（図２参照）が所定状態で配置されている。この時の基板１７としては、各種照明用の基板、センター飾り６の右斜め上方に配置されたランプ１２用の基板、あるいは後述する文字板１３駆動用の回路が形成された基板等である。
【００１４】
前記センター飾り６は、図２に示すように、上部に設けられて所定状態（例えば大当たり状態）の場合に揺動動作する前記文字板１３及びこの文字板１３の前面上部を覆う上装飾カバー１４からなる上装飾部６ａと、下部に設けられたステージ１５及びこのステージ１５の前方を覆う下装飾カバー１６からなる下装飾部６ｂと、図柄表示装置５の左側に設けられたワープ経路部６ｃと、図柄表示装置５の右側に設けられた装飾部６ｄ等を有している。
【００１５】
そして、本発明を構成し得る前記ワープ経路部６ｃは、図５に示すように、センター飾り６の外側に開口するワープ入口１８ａと、センター飾り６の内側で前記ステージ１５近傍に開口するワープ出口１８ｂと、これらを連結するワープ経路１８を有して、例えば透過性の樹脂により表面部と両側部からなる断面略コ字状に形成されている。この時、ワープ経路１８は、正面視で略「く」の字状に屈曲形成されて、該ワープ経路１８を通過する遊技球２８の落下方向に変化が与えられるようになっている。
【００１６】
また、ワープ経路部６ｃの表面には、凸部１９が隣接する状態で複数個形成され、この各凸部１９は、例えば裏面側が平坦で表面側が所定曲率に設定されることによりレンズとして機能すると共に、透過性の樹脂の使用により表面側からワープ経路１８内が視認されるようになっている。さらに、ワープ経路１８の底面側には、前述した基板１７が配置されて、例えばこの基板１７に実装されたＬＥＤ等のランプの点灯によりワープ経路１８内が照明されるようになっている。なお、前記装飾部６ｄは、ワープ経路部６ｃと左右対称位置に配置されることから、その全体形状がワープ経路部６ｃに類似した形状に設定されて、その表面にはワープ経路部６ｃと略同様の凸部２０が複数個形成されている。
【００１７】
前記下部装飾部６ｂのステージ１５は、図３及び図４に示すように、前列ステージ１５ａと後列ステージ１５ｂを有し、この両ステージ１５ａ、１５ｂのうち後列ステージ１５ｂは、その上面形状が左右長手方向の中央部分が高くその両側が低い波形形状に形成されている。また、後列ステージ１５ｂの左端近傍には、前記ワープ経路１８のワープ出口１８ｂが位置して設けられ、後列ステージ１５ｂの中央部分には、右側面視Ｌ字形状の案内路２１の上端が連通する開口２２が設けられると共に、この案内路２１の下端が前記下装飾カバー１６に設けた前面開口２３に連通している。なお、開口２２の周囲には遊技球を案内路２１に案内するための一段低い段差２２ａ、２２ｂが設けられている。
【００１８】
この後列ステージ１５ｂの前方に所定の段差を有して設けられる前列ステージ１５ａは、その上面形状が左右長手方向の中央部が若干高くなるように形成されると共に、その前端部に前記下装飾カバー１６が配置されている。この下装飾カバー１６は、透過性の樹脂により例えば鮫の下歯形状に成形されて前方からステージ１５上の遊技球が視認されるようになっており、その長手方向の中央部分には後述する如く遊技球の落下部となる切欠き状の落下口２４が設けられている。なお、下装飾カバー１６の落下口２４後方の後列ステージ１５ｂの側壁には、前記案内路２１内の遊技球が前方から視認できる複数条（図では縦方向に３条）のスリット２５が形成されている。また、後列ステージ１５ｂの前端部で中央部分には、後列ステージ１５ｂ上の遊技球の当該位置における前列ステージ１５ａ上の落下を規制する下歯形状の複数個（図では４個）の規制板２６が設けると共に、後列ステージ１５ｂの後端には、４個の表示灯２７が設けられている。
【００１９】
前記上装飾部６ａの上装飾カバー１４は、下装飾部６ｂの下装飾カバー１６と同様に、透過性の樹脂により鮫の上歯形状に形成され、その内側には前記文字板１３が図示しないモータ等により揺動可能に配置されている。また、センター飾り６の右斜め上方の遊技盤２には、大当たり発生時等に所定の形態で点灯する前記ランプ１２が例えば３個配置されている。
【００２０】
次に、このように構成されたパチンコ遊技機１の動作について説明する。遊技者の発射ハンドル１１の操作により遊技盤２内に遊技球が発射され、この遊技球が例えばセンター飾り６のワープ経路部６ｃのワープ入口１８ａからワープ経路１８内に進入すると、この遊技球は図３及び図５の矢印イの如くワープ経路１８内を落下する。この時、ワープ経路部６ｃが透過性の樹脂により形成されると共に、表面に多数の凸部１９が形成されてレンズとして機能しているため、ランプ基板の点灯で照明されたワープ経路１８内が前方から視認されて、ワープ経路１８内を落下する遊技球２８の状態が遊技者に視認されることなる。
【００２１】
また、遊技者によりワープ経路１８内の遊技球２８が視認されても、凸部１９の大きさや表面の曲率等の形状及び複数の凸部１９の隣接形態により、遊技者に視認される最後方部位がワープ経路１８の略底面位置となり、底面側に配置された基板等の遊技者への直接的な視認が防止されて、照明により輝いた状態の遊技球２８のみが遊技者に視認されることになる。つまり、ワープ経路部６ｃの表面にレンズ機能を有する透過性樹脂からなる複数の凸部１９を形成することにより、ワープ経路１８の底面の視認を防止しつつ、ワープ経路１８内の遊技球２８のみが遊技者に視認可能となる。
【００２２】
そして、ワープ経路１８内を落下してワープ出口１８ｂから後列ステージ１５ｂ上に進入した遊技球２８は、ワープ経路１８内の落下速度や回転状態に応じて後列ステージ１５ｂ上を転動しつつ、図３及び図４の矢印ロに示すように、その左右両側から前方の前列ステージ１５ａ上に落下し、前列ステージ１５ａ中央部の下装飾カバー１６の落下口２４から下方に落下し、この落下する遊技球の一部が所定確率で前記始動入賞口８に入賞するようになっている。
【００２３】
また、ワープ経路１８から後列ステージ１５ｂ上に進入した遊技球のうち該ステージ１５ｂの中央部分に位置する遊技球の一部は、図３及び図４の矢印ニに示すように、後列ステージ１５ｂ上の中央部分に設けた開口２２に進入して案内路２１を介して前面開口２３から下方に落下し、この前面開口２３から落下する遊技球が例えば始動入賞口８に入賞するようになっている。なお、この前面開口２３から落下する遊技球は、前面開口２３が始動入賞口８の直上方に位置していることから、前列ステージ１５ｂの落下口２４から落下する遊技球に対して始動入賞口８への入賞確率が高くなる。そして、始動入賞口８に遊技球が入賞すると前記図柄表示装置５が作動して、例えば図柄が特定図柄の大当たりの場合に、特定入賞口７が所定時間（所定回数）開放して、遊技者に有利な遊技状態が得られることになる。
【００２４】
このように、上記実施形態のパチンコ遊技機１にあっては、図柄表示装置５を取り囲むように配置されたセンター飾り６の左側に内部にワープ経路１８が形成されたワープ経路部６ｃを配置し、このワープ経路部６ｃ内が遊技者に透視可能に形成されると共に、その表面に複数の凸部１９が設けられているため、ワープ経路１８内に進入した遊技球の該経路１８内における落下状態を遊技者が遊技中に視認することができて、パチンコ遊技の興趣を十分に高めることができる。
【００２５】
特に、凸部１９がワープ経路１９の略底面まで透視可能な曲率の凸レンズ形状に形成されると共に、この凸部１９が隣接状態で複数個形成されていることから、所定の曲率設定によりワープ経路１８の底面側を遊技者に視認させることなく、ワープ経路１８内を落下する遊技球のみを遊技者に効果的に視認させることができる。そして、ワープ経路部１８が前後２列のステージ１５に連結されているため、ワープ経路１８に進入した遊技球の始動入賞口８までへの動きが前述した矢印ロ、ハに示すように多様となり、パチンコ遊技の興趣をより一層高めることができる。
【００２６】
また、凸部１９の形状によりワープ経路１８の底面側が視認されないように設定されると共に底面側に基板１７等の各種部品が配置されているため、各種部品をワープ経路１８の底面に露出状態で配置したとしても、この部品が遊技者から視認されることがなく、ワープ経路１８の後方に基板１７等を効果的に配置できて、遊技盤２の意匠性を向上させたり遊技盤２の設計上の自由度を高めることができると共に、遊技盤２自体を薄型に形成してそのコンパクト化を図ることができる。
【００２７】
さらに、センター飾り６が、それぞれ別体で形成された上下装飾部６ａ、６ｂとワープ経路部６ｃ及び右装飾部６ｄの４つの部品で形成されているため、凸部１９、２０を有する複雑な表面形状のワープ経路部６ｃや右装飾部６ｄをそれぞれ単体で成形できて、各部品の製造コストを低減化させ、遊技盤２自体のコストダウンを図ることができる。
【００２８】
なお、上記実施形態においては、センター飾り６を４つの部材６ａ〜６ｄに分割した場合について説明したが、例えば左右に二分割あるいは三分割や五分割以上に分割したり、全てを一体化した構造とする等、パチンコ遊技機１の前面意匠や機能に合わせて適宜に分割することができるし、上装飾カバー１４や下装飾カバ１６の色調や形状等も適宜に設定することができる。また、上記実施形態においては、ワープ経路部６ｃの表面に複数（多数）の円形の凸部１９を連設状態で一体形成することにより、内部の遊技球のみを視認可能としたが、例えば多数の円形の凹部や多角形等の適宜形状の凸部や凹部を所定間隔を有して形成するようにしても良いし、ステージの列数も２列に限らず、１列もしくは３列以上であっても良い。
【産業上の利用可能性】
【００２９】
本発明は、図柄表示装置の左側にワープ経路部を有するパチンコ遊技機に限定されず、ワープ経路部が上部から側部にかけて設けられる等の、遊技盤上の図柄表示装置の周囲にワープ経路部を有する全てのパチンコ遊技機に適用できる。
【図面の簡単な説明】
【００３０】
【図１】本発明に係わるパチンコ遊技機の一実施形態を示す正面図
【図２】同遊技盤の正面図
【図３】同遊技盤を右斜め上方から見た斜視図
【図４】同遊技盤を上方から見た斜視図
【図５】同ワープ経路の説明図
【符号の説明】
【００３１】
１・・・・・・・・パチンコ遊技機
２・・・・・・・・遊技盤
５・・・・・・・・図柄表示装置
６・・・・・・・・センター飾り
６ａ・・・・・・・上装飾部
６ｂ・・・・・・・下装飾部
６ｃ・・・・・・・ワープ経路部
６ｄ・・・・・・・右装飾部
１２・・・・・・・ランプ
１３・・・・・・・文字板
１４・・・・・・・上装飾カバー
１５・・・・・・・ステージ
１５ａ・・・・・・前列ステージ
１５ｂ・・・・・・後列ステージ
１６・・・・・・・下装飾カバー
１８・・・・・・・ワープ経路
１８ａ・・・・・・ワープ入口
１８ｂ・・・・・・ワープ出口
１９、２０・・・・凸部
２１・・・・・・・案内路
２２・・・・・・・開口
２３・・・・・・・前面開口
２４・・・・・・・落下口
２５・・・・・・・スリット
２８・・・・・・・遊技球
【図１】
2008000532.tif 000003
【図２】
2008000532.tif 000004
【図３】
2008000532.tif 000005
【図４】
2008000532.tif 000006
【図５】
2008000532.tif 000007